【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】  a)エチレン系不飽和炭化水素から得られる構造ユニット
b)(i)下式
【化１】
2002509206.tif 000001
（上式中、Ｒ1は独立に、水素及びＣ1-Ｃ4アルキルより選ばれ、Ｒ2はＣ1-Ｃ44ヒドロカルビルであり、ｔは０又は１であり、ｍは５〜200の整数であり、但しＲ2がＣ1-Ｃ5アルキルである場合、ポリアルキレンオキシド基はこのポリアルキレンオキシド基の質量を基準として50質量パーセントより多くのエチレンオキシド部分を含まないものとする）
で表されるポリアルキレンオキシド基、及び
(ii)下式
【化２】
2002509206.tif 000002
（上式中、ｔは０又は１であり、Ｑはポリシロキサン残基である）
で表される基より独立に選ばれる、エーテル基もしくはエステル基のいずれかの酸素原子に結合した置換基Ｒを有するエチレン系不飽和モノカルボン酸のエステル、エチレン系不飽和ジカルボン酸の半エステル、アリルエーテル及びビニルエーテル並びにこれらの混合物より選ばれ、さらに前記半エステルの置換基Ｒは
(iii)Ｃ1-Ｃ24アルキル
より選ばれ、但し、ＲがＣ1-Ｃ9アルキルを含む場合、前記半エステルの置換基Ｒの少なくとも１モルパーセントは置換基(i)及び(ii)より選ばれるものとする、モノマーから得られる構造ユニット、
c)モノカルボン酸並びにその塩及びアミド、ジカルボン酸並びにその塩、アミド及び半アミド、ジカルボン酸の環式無水物及びイミド、並びにこれらの混合物より選ばれるエチレン系不飽和モノマーから得られる構造ユニット、及び所望により
d)アルキルもしくはアミノ置換アルキルアクリレートもしくは（メタ）アクリレートから得られる構造ユニット
を有するコポリマーを含む、紙表面サイジング組成物。
【請求項２】  構造ユニットa)が下式Ｉ
【化３】
2002509206.tif 000003
（上式中、Ｒ4はＣ1-Ｃ8アルキル並びに置換したもしくは未置換のアリールであり、Ｒ5、Ｒ6及びＲ7は独立に、水素及びＣ1-Ｃ4アルキルより選ばれる）
で表され、構造ユニットb)が下式
【化４】
2002509206.tif 000004
（上式中、Ｒ8及びＲ9は独立に、水素及びＣ1-Ｃ4アルキルより選ばれ、Ｒ10は水素及びＣ（Ｏ）Ｘより選ばれ、Ｘは独立に、ＯＡ及びＮＲ112より選ばれ、Ａは水素、アンモニウム、アルキルアンモニウム、アルカノールアンモニウム及び
【化５】
2002509206.tif 000005
より選ばれ、Ｍは原子価ｎを有する金属であり、Ｒ11は水素、アルキル及びアリールより選ばれ、ｐは０又は１であり、Ｒ12、Ｒ13及びＲ14は独立に、水素及びＣ1-Ｃ4アルキルより選ばれ、Ｒは請求項１における規定と同じである）
で表され、構造ユニットc)が下式
【化６】
2002509206.tif 000006
（上式中、ＹはＯ及びＮＲ11より選ばれ、Ｘ、Ｒ8、Ｒ9、Ｒ10及びＲ11は上記の規定と同じである）
で表され、所望の構造ユニットd)が下式
【化７】
2002509206.tif 000007
（上式中、Ｒ15は水素又はメチルより選ばれ、Ｒ16はＣ1-Ｃ12アルキル又はN,N-ジアルキルアミノアルキルより選ばれる）
で表される、請求項１記載の紙サイジング組成物。
【請求項３】  構造ユニットa)、b)、c)及び所望によりd)を有するコポリマーを含み、ユニットb)とc)の合計に対するユニットa)のモル比が10：１〜１：10、好ましくは３：１〜１：３、より好ましくは２：１〜１：２であり、ユニットb)に対するユニットc)のモル比が1000：１〜１：10、好ましくは500:１〜50：１、より好ましくは200:１〜10：１であり、ユニットd)は存在する場合、コポリマー中のすべての構造ユニットの10モルパーセント未満である、請求項１又は２記載の紙サイジング組成物。
【請求項４】  コポリマーのすべての構造ユニットを基準として、構造ユニットa)を30〜50モルパーセント、請求項１に記載のＲ(iii)より選ばれるエステル基の酸素原子に結合したx)置換基Ｒ及び請求項１に記載のＲ(i)及びＲ(ii)より選ばれるエステル基の酸素原子に結合したy)置換基Ｒを有するエチレン系不飽和ジカルボン酸の半エステルより得られる構造ユニットb)を５〜20モルパーセント、構造ユニットc)を25〜55モルパーセント、並びに構造ユニットd)を10モルパーセント以下有し、置換基Ｒ(y)に対する置換基Ｒ(x)のモル比が100:１〜１:100、好ましくは10：１〜１：10、より好ましくは10：１〜１：１であるコポリマーを含む、請求項１又は２記載の紙サイジング組成物。
【請求項５】  コポリマーのすべての構造ユニットを基準として、構造ユニットa)を30〜50モルパーセント、Ｃ10-Ｃ24アルキルより選ばれるエステル基の酸素原子に結合した置換基Ｒを有するエチレン系不飽和ジカルボン酸の半エステルより得られる構造ユニットb)を５〜20モルパーセント、構造ユニットc)を25〜55モルパーセント、並びに構造ユニットd)を10モルパーセント以下有するコポリマーを含む、請求項１又は２記載の紙サイジング組成物。
【請求項６】  構造ユニットa)、請求項１に記載のＲ(iii)より選ばれるエステル基の酸素原子に結合したx)置換基Ｒ及び請求項１に記載のＲ(i)及びＲ(ii)より選ばれるエステル基の酸素原子に結合したy)置換基Ｒを有するエチレン系不飽和ジカルボン酸の半エステルより得られる構造ユニットb)、並びにコポリマーのすべての構造ユニットを基準として、構造ユニットd)を０〜10モルパーセント有し、置換基Ｒ(y)に対する置換基Ｒ(x)のモル比が100:１〜１:100、好ましくは10：１〜１：10、より好ましくは10：１〜１：１であり、構造ユニットb)に対する構造ユニットa)のモル比が２：１〜１：２、好ましくは1.4:１〜１：１であるコポリマーを含む、請求項１又は２記載の紙サイジング組成物。
【請求項７】  構造ユニットa)、請求項１に記載の(i)及び(ii)より選ばれるエステル基の酸素原子に結合した置換基Ｒを有するエチレン系不飽和ジカルボン酸の半エステルより得られる構造ユニットb)、並びにコポリマーのすべての構造ユニットを基準として、構造ユニットd)を０〜10モルパーセント以下有し、構造ユニットb)に対する構造ユニットa)のモル比が２：１〜１：２、好ましくは1.4:１〜１：１であるコポリマーを含む、請求項１又は２記載の紙サイジング組成物。
【請求項８】  構造ユニットa)がスチレン及びジイソブチレンより選ばれるモノマーから得られる、請求項１〜７のいずれか１項に記載の紙サイジング組成物。
【請求項９】  構造ユニットb)が下式
【化８】
2002509206.tif 000008
（上式中、Ｒ9は水素又はメチルであり、Ａ及びＢは上記規定と同じである）
より選ばれるモノマーから得られる、請求項１〜８のいずれか１項に記載の紙サイジング組成物。
【請求項１０】  構造ユニットc)が（メタ）アクリル酸及びその塩及びアミド、マレイン酸及びその塩、アミド及び半アミド、無水マレイン酸並びにマレインイミドより選ばれるモノマーから得られる、請求項１〜９のいずれか１項に記載の紙サイジング組成物。
【請求項１１】  Ｒ(i)が
(i)末端Ｃ1-Ｃ24アルキル基を有し、Ｒの質量を基準として50質量パーセント以下のエチレンオキシドユニットを含む、エチレンオキシド／プロピレンオキシドコポリマー残基、
(ii)末端Ｃ6-Ｃ35アルキル部分を有し、平均して10以下のエチレンオキシドユニットを含むポリエチレンオキシド残基、
(iii)末端Ｃ1-Ｃ24アルキル基を有するポリ（プロピレンオキシド）残基、
(iv)末端Ｃ1-Ｃ24アルキル基を有するポリ（ブチレンオキシド）残基、
(v)末端Ｃ1-Ｃ24アルキル基を有するブチレンオキシド／プロピレンオキシドコポリマー残基、
(vi)末端Ｃ1-Ｃ24アルキル基を有し、Ｒの質量を基準として50質量パーセント以下のエチレンオキシドユニットを含む、エチレンオキシド／ブチレンオキシドコポリマー残基、
(vii)末端Ｃ1-Ｃ24アルキル基を有し、Ｒの質量を基準として50質量パーセント以下のエチレンオキシドユニットを含む、エチレンオキシド／プロピレンオキシド／ブチレンオキシドターポリマー残基、及び
(viii)下式
【化９】
2002509206.tif 000009
（上式中、ＥＯ、ＰＯ及びＢＯは、各々ランダムに配列したエチレンオキシド、プロピレンオキシド及びブチレンオキシドユニットを表し、ｕ、ｖ及びｗは０〜50の整数であり、但し、Ｒの質量を基準として50質量パーセント以下のエチレンオキシドユニットが存在し、ｒは０〜35である）
で表されるポリマー残基
より選ばれる、請求項１〜１０のいずれか１項に記載の紙サイジング組成物。
【請求項１２】  Ｒ(ii)の式におけるＱが下式
【化１０】
2002509206.tif 000010
（上式中、Ｒ17は独立に、Ｃ1-Ｃ6 アルキル、好ましくはメチルであり、Ｒ18はＲ17及びＳｉＲ173より選ばれ、ｑは10〜100の整数である）
で表されるポリシロキサン残基より選ばれる、請求項１〜１１のいずれか１項に記載の紙サイジング組成物。
【請求項１３】  Ｒが100〜10,000、好ましくは500〜5,000の重量平均分子量を有する、請求項１〜１２のいずれか１項に記載の紙サイジング組成物。
【請求項１４】  コポリマーの重量平均分子量が5,000〜100,000、好ましくは10,000〜60,000、最も好ましくは20,000〜40,000である、請求項１〜１３のいずれか１項に記載の紙サイジング組成物。
【請求項１５】  前記組成物がコポリマーの水溶液又は分散液である、請求項１〜１４のいずれか１項に記載の紙サイジング組成物。
【請求項１６】  前記コポリマーが、組成物の総質量を基準として0.0005〜15質量パーセント存在する、請求項１〜１５のいずれか１項に記載の紙サイジング組成物。
【請求項１７】  a)エチレン系不飽和炭化水素から得られる構造ユニットb)(i)下式
【化１１】
2002509206.tif 000011
（上式中、Ｒ1は独立に、水素及びＣ1-Ｃ4アルキルより選ばれ、Ｒ2はＣ1-Ｃ44ヒドロカルビルであり、ｍは５〜200の整数であり、但しＲ2がＣ1-Ｃ5アルキルである場合、ポリアルキレンオキシド基はこのポリアルキレンオキシド基の質量を基準として50質量パーセントより多くのエチレンオキシド部分を含まないものとする）
で表されるポリアルキレンオキシド基、及び
(ii)ポリシロキサン基より選ばれる、エステル基の酸素原子に結合した(y)置換基Ｒ及びＣ1-Ｃ24アルキルより選ばれるエステル基の酸素原子に結合した(x)置換基Ｒを有するエチレン系不飽和ジカルボン酸の半エステルから得られる構造ユニット、但し置換基Ｒ(y)に対する置換基Ｒ(x)のモル比は100:１〜１:100、好ましくは10：１〜１：10、より好ましくは10：１〜１：１であるものとする、
c)モノカルボン酸並びにその塩及びアミド、ジカルボン酸並びにその塩、アミド及び半アミド、ジカルボン酸の環式無水物及びイミド、並びにこれらの混合物より選ばれるエチレン系不飽和モノマーから得られる構造ユニット、及び所望により
d)アルキルもしくはアミノ置換アルキルアクリレートもしくはメタクリレートから得られる構造ユニット
を含むコポリマー。
【請求項１８】  コポリマー中の構造ユニットの総数を基準として、構造ユニットa)を30〜50モルパーセント、構造ユニットb)を５〜20モルパーセント、構造ユニットc)を25〜55モルパーセント、及び構造ユニットd)を０〜10モルパーセント含む、請求項１７記載のコポリマー。
【請求項１９】  コポリマーの重量平均分子量が5,000〜100,000、好ましくは10,000〜60,000、より好ましくは20,000〜40,000である、請求項１７又は１８記載のコポリマー。
【請求項２０】  構造ユニットa)がスチレン及びジイソブチレンから選ばれるモノマーより得られ、構造ユニットb)がマレイン酸及びその塩の半エステルより得られ、構造ユニットc)がアクリル酸、（メタ）アクリル酸、マレイン酸及びその塩より選ばれるモノマーより得られ、Ｒ(y)が請求項１１及び１２に記載の置換基Ｒ(i)及びＲ(ii)より選ばれる、請求項１７〜１９のいずれか１項に記載のコポリマー。